(57)【要約】【課題】光源からの光を十分に拡散して反射型液晶表示パネルの画像表示領域に効率よく照射することが可能な小型の反射型液晶表示装置を提供する。【解決手段】回路基板２の上面に、画像表示領域３Ａを上方に向けて反射型液晶表示パネル３を配置すると共に、光出射面を上方に向けてＬＥＤ光源４を配置し、それらを覆うように導光板４１を配置する。更に、ＬＥＤ光源４の光出射面と導光板４１の下面との間に吸収型偏光板７を配置すると共に、導光板４１の上面に反射型偏光板１０を配置する。ＬＥＤ光源４の光出射面から出射された光の一部は、吸収型偏光板７を透過して導光板４１の下面からその内部に入射し、導光板４１の内部を拡散しながら伝播して反射型液晶表示パネル３の画像表示領域３Ａに入射する。画像表示領域３Ａに入射した光は、その一部が液晶により光変調を受けた状態で反射され、反射型偏光板１０を透過して画像として観察される。【選択図】図１
2015184654.tif 000002
【特許請求の範囲】
【請求項１】
反射型液晶表示パネルと、
前記反射型液晶表示パネルに光を供給する光源と、
前記反射型液晶表示パネルと前記光源を支持する基板と、
前記光源から出射された光のうち、特定の偏光軸を持つ光のみを透過させる第一の偏光板と、
前記光源から出射された光のうち、前記特定の偏光軸を持つ光を反射し、前記特定の偏光軸とは直交する偏光軸を持つ光のみを透過させる第二の偏光板と、を備えた反射型液晶表示装置において、
前記基板上に画像表示領域を上方に向けて前記反射型液晶表示パネルを配置し、
前記基板の前記反射型液晶表示パネルが配置された面と同一面上に前記光源を配置し、
前記反射型液晶表示パネルの前記画像表示領域を覆うように導光板を配置し、
前記光源と前記導光板との間の光路上に前記第一の偏光板を配置し、
前記反射型液晶表示パネルの前記画像表示領域と前記導光板を挟んで対向する位置に前記第二の偏光板を配置し、
前記光源の前記光出射面から出射された光が、前記導光板の前記反射型液晶表示パネルと対向する側の表面の一部に設けられた光導入面から前記導光板の内部に入射し、この前記導光板の内部に入射した光が、前記反射型液晶表示パネルの前記画像表示領域と対向する前記導光板の表面に設けられた光放出面から前記画像表示領域に向けて出射し、この前記画像表示領域に向けて出射した光が、前記画像表示領域で反射されて前記第二の偏光板に入射するように構成したことを特徴とする反射型液晶表示装置。
【請求項２】
前記光源の前記光出射面が前記導光板の前記光導入面と対向するように、前記光源を配置したことを特徴とする請求項１に記載の反射型液晶表示装置。
【請求項３】
前記導光板の前記光導入面と対向する位置に、前記光源の前記光出射面から出射された光を前記導光板の前記光導入面に向けて反射させる反射部材を配置したことを特徴とする請求項１に記載の反射型液晶表示装置。
【請求項４】
前記反射部材と前記反射型液晶表示パネルとの間に、前記光源を配置したことを特徴とする請求項３に記載の反射型液晶表示装置。
【請求項５】
前記反射部材を挟んで前記反射型液晶表示パネルと対向する位置に、前記光源を配置したことを特徴とする請求項３に記載の反射型液晶表示装置。
【請求項６】
前記光源の前記光出射面と対向する前記導光板の一部に、前記導光板の内部に入射した光を前記導光板の前記光放出面側へ反射する反射面を設けたことを特徴とする請求項１〜５の何れか一つに記載の反射型液晶表示装置。
【請求項７】
前記光源の前記光出射面と対向する前記導光板の一部と前記導光板の前記光放出面を跨いで反対側に位置する前記導光板の一部に、前記導光板の内部を伝播する光を前記導光板の前記光放出面側に反射する反射面を設けたことを特徴とする請求項１〜６の何れか一つに記載の反射型液晶表示装置。
【請求項８】
前記導光板の前記反射型液晶表示パネルと対向する側の表面のうち、前記導光板の前記光導入面と前記光放出面とを除く領域に、遮光板を配置したことを特徴とする請求項１〜７の何れか一つに記載の反射型液晶表示装置。
【請求項９】
前記導光板の前記反射型液晶表示パネルと対向する側の表面全体に、前記遮光板を配置したことを特徴とする請求項８に記載の反射型液晶表示装置。
【請求項１０】
前記導光板の前記反射型液晶表示パネルと対向する側とは反対側の表面のうち、前記第二の偏光板と対向する領域を除く領域に、遮光板を配置したことを特徴とする請求項１〜９の何れか一つに記載の反射型液晶表示装置。
【請求項１１】
前記光源の前記光出射面と前記第一の偏光板との間に、前記光源の前記光出射面から出射された光を拡散させる拡散板を配置したことを特徴とする請求項１〜１０の何れか一つに記載の反射型液晶表示装置。
【請求項１２】
前記導光板の少なくとも一部の形状を、前記反射型液晶表示パネルの前記画像表示領域に表示された画像を拡大するレンズ形状としたことを特徴とする請求項１〜１１の何れか一つに記載の反射型液晶表示装置。
【請求項１３】
前記導光板を第一の導光板と第二の導光板とで構成し、前記第一の導光板を前記光源の前記光出射面に対向させて配置し、前記第二の導光板を前記反射型液晶表示パネルの前記画像表示領域に対向させて配置し、前記第一の導光板の側面と前記第二の導光板の側面との間に前記第一の偏光板を配置したことを特徴とする請求項１〜１２の何れか一つに記載の反射型液晶表示装置。
【発明の詳細な説明】
【技術分野】
【０００１】
本発明は、反射型液晶表示装置に関するものである。
【背景技術】
【０００２】
図５は、従来技術による反射型液晶表示装置の第１の例を模式的に示す縦断面図である。反射型液晶表示装置１は、回路基板２、画像表示領域３Ａを有する反射型液晶表示パネル３、ＬＥＤ光源４、反射板５、拡散板６、吸収型偏光板７、反射型偏光板８、これらを位置決めして収納する筐体（不図示）を備えている。ＬＥＤ光源４から出射された光は反射板５で反射され、反射板５で反射された光は拡散板６を透過することで拡散され、拡散板６を透過した光は吸収型偏光板７を透過することで一方向の偏光軸の光だけが抽出され、吸収型偏光板７を透過した光は吸収型偏光板７の偏光軸と直交する偏光軸を持つ反射型偏光板８で反射されて反射型液晶表示パネル３の画像表示領域３Ａに入射する。
【０００３】
反射型液晶表示パネル３とＬＥＤ光源４は回路基板２の同一面上に互いに隣接して実装され、反射型液晶表示パネル３の光軸とＬＥＤ光源４の光軸は互いに平行で同一方向（上方）を向いている。ＬＥＤ光源４の上部には平面状の反射板５が傾斜して配置され、反射型液晶表示パネル３の上部には放物面状の反射型偏光板８が配置されている。ここで、ＬＥＤ光源４から出射された光は、反射板５により屈曲されて反射型偏光板８へ導かれるが、その光路（図中矢印で示す）上の反射板５と反射型偏光板８の間には拡散板６と吸収型偏光板７が配置されているため、反射板５で反射された光は拡散板６で拡散された後、吸収型偏光板７の偏光軸と平行な偏光軸を持った光のみが吸収型偏光板７を透過して反射型偏光板８に入射する。
【０００４】
反射型偏光板８に入射した光のうち反射型偏光板８により反射されて反射型液晶表示パネル３の画像表示領域３Ａに入射した光は、反射型液晶表示パネル３の画像表示領域３Ａにより反射され、反射型偏光板８へ戻される。
【０００５】
ここで、反射型液晶表示パネル３の液晶分子の向きにより、反射型液晶表示パネル３により反射される光の偏光軸の向きが変わり、その偏光軸の向きにより、反射型偏光板８を透過する光と、反射（遮断）される光に分けられる。反射型偏光板８を透過する光と遮断される光によって画像が形成され、その画像を観察者が観察することになる。
【０００６】
尚、図５に示す反射型液晶表示装置１では、反射型偏光板８が放物面状で、反射板５が平面状の構造であるため、反射型偏光板８から反射板５までの距離と反射板５からＬＥＤ光源４までの距離の和は、反射型偏光板８から反射型偏光板８の放物面の焦点までの距離と等しくなる。即ち、反射型偏光板８から見れば、ＬＥＤ光源４の位置は、反射型偏光板８の焦点位置となる。
【０００７】
図６は、従来技術による反射型液晶表示装置の第２の例を模式的に示す縦断面図である。反射型液晶表示装置２０が図５に示す反射型液晶表示装置１と異なるのは、反射型偏光板１０が平面状で、反射板９が放物面状である点である。反射板９が放物面であることから、ＬＥＤ光源４は、反射板９の放物面の中心に配置されている。その他の構成は図５に示す構成と同様である。
【０００８】
図７は、従来技術による反射型液晶表示装置の第３の例を模式的に示す縦断面図である。反射型液晶表示装置３０において、反射型液晶表示パネル３は回路基板２上に実装され、ＬＥＤ光源４は回路基板２とは別のＦＰＣ１２上に実装され、ＬＥＤ光源４は、ＬＥＤ光源４からの出射光が反射型液晶表示パネル３の上部に配置された放物面状の反射型偏光板１１に直接向かうように、反射型液晶表示装置３０の側面部(背面部)に発光面を横方向に向けて配置されている。この構成では反射板は省かれており、ＬＥＤ光源４から出射した光は、ＬＥＤ光源４と反射型偏光板１１の間に配置された拡散板６と吸収型偏光板７を通過し、吸収型偏光板７の偏光軸と平行な偏光軸を持った光のみが反射型偏光板１１に入射する。その他の構成は図５に示す構成と同様である。尚、以上説明したような従来技術による反射型液晶表示装置は、例えば特許文献１に開示されている。
【先行技術文献】
【特許文献】
【０００９】
【特許文献１】特表２００３−５２３５２９号公報
【発明の概要】
【発明が解決しようとする課題】
【００１０】
反射型偏光板を利用して画像を表示する従来技術による反射型液晶表示装置では、光源からの光を十分に拡散して反射型液晶表示パネルの画像表示領域に効率よく照射するために、反射型液晶表示パネルと光源の上部に十分なスペースを確保する必要があり、反射型液晶表示装置の高さ方向の小型化（低背化）に限界があった。
【００１１】
本発明は、以上の問題点に鑑みたもので、光源からの光を十分に拡散して反射型液晶表示パネルの画像表示領域に効率よく照射することが可能な小型の反射型液晶表示装置を提供することを目的とする。
【課題を解決するための手段】
【００１２】
反射型液晶表示パネルと、前記反射型液晶表示パネルに光を供給する光源と、前記反射型液晶表示パネルと前記光源を支持する基板と、前記光源から出射された光のうち、特定の偏光軸を持つ光のみを透過させる第一の偏光板と、前記光源から出射された光のうち、前記特定の偏光軸を持つ光を反射し、前記特定の偏光軸とは直交する偏光軸を持つ光のみを透過させる第二の偏光板と、を備えた反射型液晶表示装置において、前記基板上に画像表示領域を上方に向けて前記反射型液晶表示パネルを配置し、前記基板の前記反射型液晶表示パネルが配置された面と同一面上に前記光源を配置し、前記反射型液晶表示パネルの前記画像表示領域を覆うように導光板を配置し、前記光源と前記導光板との間の光路上に前記第一の偏光板を配置し、前記反射型液晶表示パネルの前記画像表示領域と前記導光板を挟んで対向する位置に前記第二の偏光板を配置し、前記光源の前記光出射面から出射された光が、前記導光板の前記反射型液晶表示パネルと対向する側の表面の一部に設けられた光導入面から前記導光板の内部に入射し、この前記導光板の内部に入射した光が、前記反射型液晶表示パネルの前記画像表示領域と対向する前記導光板の表面に設けられた光放出面から前記画像表示領域に向けて出射し、この前記画像表示領域に向けて出射した光が、前記画像表示領域で反射されて前記第二の偏光板に入射するように構成した反射型液晶表示装置とする。
【００１３】
前記光源の前記光出射面が前記導光板の前記光導入面と対向するように、前記光源を配置した反射型液晶表示装置とすることができる。
【００１４】
前記導光板の前記光導入面と対向する位置に、前記光源の前記光出射面から出射された光を前記導光板の前記光導入面に向けて反射させる反射部材を配置した反射型液晶表示装置とすることができる。
【００１５】
前記反射部材と前記反射型液晶表示パネルとの間に、前記光源を配置した反射型液晶表示装置とすることができる。
【００１６】
前記反射部材を挟んで前記反射型液晶表示パネルと対向する位置に、前記光源を配置した反射型液晶表示装置とすることができる。
【００１７】
前記光源の前記光出射面と対向する前記導光板の一部に、前記導光板の内部に入射した光を前記導光板の前記光放出面側へ反射する反射面を設けた反射型液晶表示装置とすることができる。
【００１８】
前記光源の前記光出射面と対向する前記導光板の一部と前記導光板の前記光放出面を跨いで反対側に位置する前記導光板の一部に、前記導光板の内部を伝播する光を前記導光板の前記光放出面側に反射する反射面を設けた反射型液晶表示装置とすることができる。
【００１９】
前記導光板の前記反射型液晶表示パネルと対向する側の表面のうち、前記導光板の前記光導入面と前記光放出面とを除く領域に、遮光板を配置した反射型液晶表示装置とすることができる。
【００２０】
前記導光板の前記反射型液晶表示パネルと対向する側の表面全体に、前記遮光板を配置した反射型液晶表示装置とすることができる。
【００２１】
前記導光板の前記反射型液晶表示パネルと対向する側とは反対側の表面のうち、前記第二の偏光板と対向する領域を除く領域に、遮光板を配置した反射型液晶表示装置とすることができる。
【００２２】
前記光源の前記光出射面と前記第一の偏光板との間に、前記光源の前記光出射面から出射された光を拡散させる拡散板を配置した反射型液晶表示装置とすることができる。
【００２３】
前記導光板の少なくとも一部の形状を、前記反射型液晶表示パネルの前記画像表示領域に表示された画像を拡大するレンズ形状とした反射型液晶表示装置とすることができる。
【００２４】
前記導光板を第一の導光板と第二の導光板とで構成し、前記第一の導光板を前記光源の前記光出射面に対向させて配置し、前記第二の導光板を前記反射型液晶表示パネルの前記画像表示領域に対向させて配置し、前記第一の導光板の側面と前記第二の導光板の側面との間に前記第一の偏光板を配置した反射型液晶表示装置とすることができる。
【発明の効果】
【００２５】
本発明によれば、光源からの光を十分に拡散して反射型液晶表示パネルの画像表示領域に効率よく照射することが可能な小型の反射型液晶表示装置を提供することができる。
【図面の簡単な説明】
【００２６】
【図１】本発明による反射型液晶表示装置の第１の実施例を模式的に示す上面図及びＡ−Ａ断面図
【図２】本発明による反射型液晶表示装置の第２の実施例を模式的に示す上面図及びＡ−Ａ断面図
【図３】本発明による反射型液晶表示装置の第３の実施例を模式的に示す上面図及びＡ−Ａ断面図
【図４】本発明による反射型液晶表示装置の第４の実施例を模式的に示す上面図及びＡ−Ａ断面図
【図５】従来技術による反射型液晶表示装置の第１の例を模式的に示す縦断面図
【図６】従来技術による反射型液晶表示装置の第２の例を模式的に示す縦断面図
【図７】従来技術による反射型液晶表示装置の第３の例を模式的に示す縦断面図
【発明を実施するための形態】
【実施例１】
【００２７】
図１は、本発明による反射型液晶表示装置の第１の実施例を模式的に示す上面図及びＡ−Ａ断面図である。第１の実施例による反射型液晶表示装置４０は、主として、回路基板２、画像表示領域３Ａを有する反射型液晶表示パネル３、ＬＥＤ光源４、吸収型偏光板７、反射面４３、４４を有する導光板４１、反射型偏光板１０、開口部４２ａを有するマスク４２、これらを収納する筐体（不図示）から構成されている。
【００２８】
反射型液晶表示パネル３とＬＥＤ光源４は、回路基板２の同一面上に互いに隣接して実装され、反射型液晶表示パネル３の光軸とＬＥＤ光源４の光軸は、互いに平行で同一方向（上方）を向いている。ＬＥＤ光源４の上部には、平面状の吸収型偏光板７がＬＥＤ光源４の光出射面に対して水平となるように配置されている。反射型液晶表示パネル３の上部には、光吸収性を有する平面状のマスク（遮光板）４２が画像表示領域３Ａに対して水平となるように配置され、開口部４２ａから画像表示領域３Ａが露呈されている。吸収型偏光板７とマスク４２の上部には、平面状の導光板４１が、それらの上面に対して水平となるように且つそれらを覆うように配置され、その一端側に設けられた反射面４３が、ＬＥＤ光源４の光出射面と斜めに対向している。導光板４１の上部には、平面状の反射型偏光板１０が、導光板４１の上面に対して水平となるように且つ偏光軸が吸収型偏光板７の偏光軸と直交するように配置されている。
【００２９】
ＬＥＤ光源４から出射した光は、吸収型偏光板７の偏光軸と平行な偏光軸を持った光のみが吸収型偏光板７を透過し、それと対向する導光板４１の下面（光導入面）から導光板４１の内部に入射する。導光板４１の内部に入射した光は、導光板４１の反射面４３に入射し、反射面４３により導光板４１の中心側に向けて反射される。尚、反射面４３は、立体的に見て導光板４１の下面を底面とする円錐の側面を構成するような湾曲面であり、入射した光を導光板４１の中心側へ効率よく反射するように角度や曲率が設定されている。また、反射面４３は、導光板４１の表面に反射板を貼付する、あるいは反射膜や反射構造体（微細な凹凸等）を形成することなどにより、反射面として構成されている。
【００３０】
反射面４３により反射された光は、導光板４１と吸収型偏光板７、反射型偏光板１０、マスク４２、反射面４４、空気層などとの界面で反射を繰り返しながら導光板４１の内部を伝播し、その一部が導光板４１の下面（光放出面）からマスク４２の開口部４２ａを通って反射型液晶表示パネル３の画像表示領域３Ａに入射する。尚、反射面４４は、反射面４３と同様の湾曲した反射面として構成され、画像表示領域３Ａに光が効率よく入射するように角度や曲率が設定されている。
【００３１】
画像表示領域３Ａに入射した光は、反射型液晶表示パネル３の液晶分子の向きにより、反射型液晶表示パネル３により反射される光の偏光軸の向きが変わり、その偏光軸の向きにより、反射型偏光板１０を透過する光と、反射（遮断）される光に分けられる。反射型偏光板８を透過する光と遮断される光によって画像が形成され、その画像を観察者が観察することになる。
【００３２】
この実施例では、従来技術のように反射型液晶表示パネル３やＬＥＤ光源４の上部に大きなスペースを設ける必要が無いため、その分、反射型液晶表示装置の高さ方向を小型化（低背化）することができる。また、反射型液晶表示パネル３とＬＥＤ光源４の回路基板２上でのレイアウトは、ある程度自由に変更することができるため、横方向についても従来技術と同等のサイズ以下に収めることができる。その一方では、ＬＥＤ光源４から出射された光を、主として導光板４１を用いた照明光学系により、十分に拡散した上で反射型液晶表示装置３の画像表示領域３Ａに効率的に照射することができる。即ち、小型化と光学的性能の確保を両立させた反射型液晶表示装置を提供することができる。
【実施例２】
【００３３】
図２は、本発明による反射型液晶表示装置の第２の実施例を模式的に示す上面図及びＡ−Ａ断面図である。第２の実施例による反射型液晶表示装置５０は、図１に示した第１の実施例と同様の基本構成を備え、主な相違点として、導光板４１が光源側導光板４１ａとパネル側導光板４１ｂの２つで構成され、それらの間に吸収型偏光板７が配置されると共に、光源側導光板４１ａとＬＥＤ光源４との間に拡散板６が配置されている。
【００３４】
ＬＥＤ光源４から出射した光は、拡散板６により拡散され、それと対向する光源側導光板４１ａの下面（光導入面）から光源側導光板４１ａの内部に入射する。光源側導光板４１ａの内部に入射した光は、反射面４３により反射されて光源側導光板４１ａの側面から出射し、吸収型偏光板７に入射する。吸収型偏光板７に入射した光は、吸収型偏光板７の偏光軸と平行な偏光軸を持った光のみが吸収型偏光板７を透過する。吸収型偏光板７を透過した光は、パネル側導光板４１ｂの側面からパネル側導光板４１ｂの内部に入射し、パネル側導光板４１ｂと反射型偏光板１０、マスク４２、反射面４４、空気層などとの界面で反射を繰り返しながらパネル側導光板４１ｂの内部を伝播し、その一部がパネル側導光板４１ｂの下面（光放出面）からマスク４２の開口部４２ａを通って反射型液晶表示パネル３の画像表示領域３Ａに入射する。画像表示領域３Ａに入射した光は、反射型液晶表示パネル３の液晶分子の向きにより、反射型液晶表示パネル３により反射される光の偏光軸の向きが変わり、その偏光軸の向きにより、反射型偏光板１０を透過する光と、反射（遮断）される光に分けられる。反射型偏光板８を透過する光と遮断される光によって画像が形成され、その画像を観察者が観察することになる。
【００３５】
この実施例では、ＬＥＤ光源４から出射された光を拡散板６により拡散しているため、照明光の輝度ムラを抑えることができる。また、吸収型偏光板７が光源側導光板４１ａとパネル側導光板４１ｂとの間に配置されているため、光源側導光板４１ａとパネル側導光板４１ｂの内部で発生した迷光（乱反射光）を効率的に除去することができる。
【実施例３】
【００３６】
図３は、本発明による反射型液晶表示装置の第３の実施例を模式的に示す上面図及びＡ−Ａ断面図である。第３の実施例による反射型液晶表示装置６０は、図１に示した第１の実施例と同様の基本構成を備え、主な相違点として、ＬＥＤ光源４が光出射面を反射型液晶表示パネル３の側面に向けて回路基板３上に配置されると共に、ＬＥＤ光源４の光出射面と反射型液晶表示パネル３の側面との間に、三角柱状の反射部材４５が配置されている。反射部材４５の表面のうちＬＥＤ光源４の光出射面と対向する面は、ＬＥＤ光源４の光出射面に対して傾斜した反射面４５ａとされ、その上方に位置する導光板４１の反射面４３と吸収型偏光板７を挟んで対向している。尚、反射部材４５の形状は、例えば、その他の多角柱、蒲鉾状、平板状のものであっても良い。
【００３７】
ＬＥＤ光源４から出射した光は、反射部材４５の反射面４５ａにより上方に向けて反射され、吸収型偏光板７に入射する。吸収型偏光板７に入射した光は、吸収型偏光板７の偏光軸と平行な偏光軸を持った光のみが吸収型偏光板７を透過し、それと対向する導光板４１の下面（光導入面）から導光板４１の内部に入射し、以降、図１に示した第１の実施例と同様の経路を辿って、最終的に反射型液晶表示パネル３の画像表示領域３Ａに照射される。
【００３８】
この実施例では、ＬＥＤ光源４から出射された光を、反射部材４５を経由して導光板４１に入射させているため、その分、ＬＥＤ光源４から出射された光の光路が長くなり、光の拡散性を高めることができる。また、ＬＥＤ光源４の回路基板２上におけるレイアウトの自由度を高めることができる。
【実施例４】
【００３９】
図４は、本発明による反射型液晶表示装置の第４の実施例を模式的に示す上面図及びＡ−Ａ断面図である。第４の実施例による反射型液晶表示装置７０は、図３に示した第３の実施例の変形例であり、主な相違点として、反射部材４５の反射面４５ａは、反射型液晶表示パネル３の側面と対向し、反射部材４５の反射面４５ａと反射型液晶表示パネル３の側面との間に、光出射面が反射部材４５の反射面４５ａと対向するように、ＬＥＤ光源４が配置されている。
【００４０】
ＬＥＤ光源４から出射した光は、そのまま反射型液晶表示パネル３から離反する方向へ進んだ後、反射部材４５の反射面４５ａにより上方に向けて反射され、以降、図３に示した第３の実施例と同様の経路を辿って、最終的に反射型液晶表示パネル３の画像表示領域３Ａに照射される。
【００４１】
この実施例では、ＬＥＤ光源４が反射部材４５と反射型液晶表示パネル３との間に配置されているため、図３に示した第３の実施例と比較して、横方向を小型化することができる。
【００４２】
以上の実施例において、導光板４１の形状は、その他の多角形や円形などであっても良い。この点に関し、導光板４１の形状は、少なくともその一部が反射型液晶表示パネル３の画像表示領域３Ａに表示された画像を拡大するレンズ形状であっても良い。また、導光板４１の反射面４３、４４と反射部材４５の反射面４５ａは、光を拡散して反射する拡散反射面であっても良い。また、導光板４１の反射面４３、４４は、省略されていても良い。また、導光板４１の表面のうち、ＬＥＤ光源４の光出射面と対向する領域（光導入面）と反射型液晶表示パネル３の画像表示領域３Ａと対向する領域（光出射面）とを除く領域は、光吸収性又は光反射性を有する遮光板で覆われていても良い。この点に関し、導光板４１の下面は、マスク４２でその全体が覆われていても良く、このことは、部品点数の削減や装置全体の構造的安定性の向上（導光板４１の湾曲防止等）に寄与する。また、吸収型偏光板７は、反射型偏光板に置き換えても良く、反射型偏光板１０は、吸収型偏光板に置き換えても良い。但し、迷光の抑制や光の利用効率向上の観点からは、吸収型偏光板７と反射型偏光板１０は、上述の実施例に示した通りの構成が好ましい。また、ＬＥＤ光源４は、ＬＥＤ以外の光源であっても良い。また、回路基板２は、回路機能の無い基板であっても良い。また、本発明の第１、第３、及び第４の実施例において、ＬＥＤ光源４の光出射面と吸収型偏光板７との間には、第２の実施例で示したような拡散板７が配置されていても良い。
【符号の説明】
【００４３】
１      反射型液晶表示装置
２      回路基板
３      反射型液晶表示パネル
３Ａ    画像表示領域
４      ＬＥＤ光源
５      反射板
６      拡散板
７      吸収型偏光板（第一の偏光板）
８      反射型偏光板
９      反射板
１０    反射型偏光板（第二の偏光板）
１１    反射型偏光板
１２    ＦＰＣ
２０    反射型液晶表示装置
３０    反射型液晶表示装置
４０    反射型液晶表示装置
４１    導光板
４１ａ  光源側導光板
４１ｂ  パネル側導光板
４２    マスク（遮光板）
４２ａ  開口部
４３    反射面
４４    反射面
４５    反射部材
４５ａ  反射面
５０    反射型液晶表示装置
６０    反射型液晶表示装置
７０    反射型液晶表示装置
【図１】
2015184654.tif 000003
【図２】
2015184654.tif 000004
【図３】
2015184654.tif 000005
【図４】
2015184654.tif 000006
【図５】
2015184654.tif 000007
【図６】
2015184654.tif 000008
【図７】
2015184654.tif 000009